(57)【要約】【課題】安定した組み立て及び導接効果が達成される携帯電話の電線接続プラグを提供する。【解決手段】プラグ本体１及び二つの端子２から構成される。プラグ本体１は矩形の塊であり、底部には二つ扁平状の端子溝１１が設けられている。各端子溝１１には異なる幅の定位置段１２、逃げ段１３、狭い嵌め付け段１４がそれぞれ形成されている。プラグ本体１の側部には両端子溝１１を横向きに貫通する二つの電線孔１６が設けられている。端子２には挟み持ち端２１と差込端２２の金属片とを有し、挟み持ち端２１の中央には隙間２３が設けられ両側には挟み片２４が形成されている。挟み持ち端２１の両側辺は端子溝１１に対応して三段階の縮小構造が設けられている。それらをそれぞれプラグ本体１の端子溝１１に差し込み、挟み片２４で電線孔１６中の電線３０を挟み導通する。【選択図】　　　図２
0003098197.tif 000002
【実用新案登録請求の範囲】
【請求項１】
携帯電話の電線接続プラグであって、
少なくともプラグ本体及び二つの端子から構成され、
そのプラグ本体の底部には二つの扁平状の端子溝が設けられ、側部には二つ電線孔が設けられてそれぞれ両端子溝を貫通して電線を通すことに供され、
端子の上段には挟み持ち端があり、下段には差込端の金属片があり、かつ挟み持ち端の中間には上縁まで延伸する隙間が設けられ、そのために挟み持ち端の両側にはそれぞれ挟み片が形成されており、
そのプラグ本体の各端子溝の底段には幅のやや広い定位置段が設けられ、中間には幅が次程度の逃げ段が設けられ、上段は幅の狭い嵌め付け段が形成され、かつ逃げ段と嵌め付け段の連接箇所には斜めの案内辺が設けられ、
その端子の挟み持ち端の両側辺は端子溝に対応して数箇所縮小状の構造が設けられ、
これによって端子はプラグ本体の端子溝に差し込まれ、両挟み片は端子溝上端の嵌め付け段に差し込まれ、嵌め付け段の両側壁が両挟み片の外側辺を支え持つことを特徴とする携帯電話の電線接続プラグ。
【請求項２】
端子の挟み持ち端の両側辺選定箇所にはそれぞれ突起が設けられていることを特徴とする請求項１記載の携帯電話の電線接続プラグ。
【請求項３】
端子の両挟み片の内縁の両側面にはそれぞれ切り込みが設けられ鋭い切り口構造が形成されていることを特徴とする請求項１記載の携帯電話の電線接続プラグ。
【考案の詳細な説明】
【０００１】
【考案の属する技術分野】
本考案は携帯電話の電線接続プラグの構造改善設計に関するもので、特に携帯電話内部の振動モータまたはスピーカ等電子エレメントの電線端の接続プラグの構造を指し、そのプラグ本体と端子の構造及び組合せ関係を改善設計したものである。
【０００２】
【従来の技術】
周知の携帯電話にはスピーカ発声、マイク収音及び振動知らせ等の機能があり、それらはすべて電線で回路メイン・ボードへ接続しなければならない。振動知らせの機能を例として、それはモータ製造者が予め電線３０及び端部接続プラグ１０を含むモータを組み立て製造し、それから携帯電話製造者に提供してその接続プラグ１０をメイン・ボード４０の接続ソケット２０に差し込み接続し（図１１及び図１２を参照ください）、これによって迅速に組み立て及び修理時の取り外しを便利にする効果が達成される。この内、振動モータの電線端の接続プラグ１０の構造は絶縁質プラグ本体１０１及び二つの端子１０２から構成され、そのプラグ本体１０１の底端には二つの端子差込溝１０３が設けられて上端まで垂直に延伸し、かつ側部には二つ電線孔が設けられて端子差込溝１０３を貫通して電線３０を通すことに供される。端子１０２は金属片であり、上端の中間には隙間１０４が設けられて両側には挟み片１０５が形成され、これによって端子１０２をプラグ本体１０１の端子差込溝１０３へ差し込んだ場合、二枚の挟み片１０５は電線３０を挟み持ちして絶縁皮を破り、それによって組み立て及び電線接続構造が形成される。
【０００３】
ところが、従来の接続プラグ１０の端子１０２に電線３０を差し込んで挟み持ちした場合、二枚の挟み片１０５は電線３０の絶縁皮を破り始めて導線と接触して少々外へ張り出す現象が発生し（図１３に示す如く）、かつ電線３０の絶縁皮全体を破ってから収縮挟みして内部の導線と接触するので（図１１に示す如く）、従来の接続プラグ１０は二枚の挟み片１０５の幅を端子差込溝１０３よりかなり狭くし、それによって二枚の挟み片１０５の張り出しを許容する。その二枚の挟み片１０５が収縮して挟み持つと、端子差込溝１０３の側壁で挟み片１０５の外側を嵌め付けまたは挟み持ちすることができなくなり、端子１０２の上端両側に多くのスペースが残される（図１１の矢印Ａに示す如く）。そのために挟み片１０５が弾性疲労し、または使用時不注意に携帯電話を衝撃した場合、容易に電線３０が離脱しまたは緩んでしまうことが起こり、接触不良によって修理しなければならないことになる。
【０００４】
また、従来の接続プラグ１０の端子１０２の構造には端子差込溝１０３と相互に嵌め付けられる構造が設けられておらず、緊密配合方式だけを運用して端子１０２を端子差込溝１０３内に固定しているので、使用時不注意に携帯電話を衝撃した場合、緩んでしまいまたは脱落する恐れがある。
【０００５】
【考案が解決しようとする課題】
本考案の目的は、安定した組み立て及び導接効果が達成される携帯電話の電線接続プラグを提供することにある。
また、本考案の他の目的は、端子の安定して組み立てられ脱落が防止される携帯電話の電線接続プラグを提供することにある。
【０００６】
【課題を解決するための手段】
本考案による携帯電話の電線接続プラグの設計はプラグ本体及び二つの端子から構成される。プラグ本体は矩形の塊であり、底部には二つ扁平状の端子溝が設けられている。各端子溝の底端には幅のやや広い定位置段があり、中間には幅が次程度の逃げ段が設けられ、上端はやや狭い嵌め付け段が形成され、かつプラグ本体の側部には両端子溝を横向きに貫通する二つの電線孔が設けられている。端子の上段には挟み持ち端で下段には差込端の金属片があり、挟み持ち端の中央には隙間が設けられて両側に挟み片が形成され、かつ挟み持ち端の両側辺は端子溝に対応して三段階の縮小構造が設けられている。それらをそれぞれプラグ本体の端子溝に差し込み、二枚の挟み片で電線孔中の電線を挟み破れさせて導通し、三段階の縮小構造によって安定した組み立て効果が得られる。
【０００７】
【考案の実施の形態】
図１及び図２に示す如く、本考案の実施例による『携帯電話の電線接続プラグ』の設計は携帯電話の内部の振動モータ、スピーカまたはマイク等電子エレメントの電線端に応用される接続プラグであり、その接続プラグはプラグ本体１及び二つの端子２から構成される。その内、プラグ本体１（図３及び図４に示す如く）は、絶縁材を使って一体成形された矩形の塊であり、底部には二つ扁平状の端子溝１１が設けられる。各端子溝１１の底段にはやや幅の広い定位置段１２が設けられ、中間には幅が次程度の逃げ段１３が設けられ、上段は幅の狭い嵌め付け段１４が形成され、かつ逃げ段１３と嵌め付け段１４の連接箇所には斜め案内辺１５が設けられ、かつプラグ本体１の側部には二つの電線孔１６が設けられ、それぞれ両端子溝１１を貫通して電線を通すことに供される。
【０００８】
端子２（図５に示す如く）の上段には挟み持ち端２１があり、下段には細い差込端２２の金属片があり、挟み持ち端２１の中央には上縁までに延伸する隙間２３が設けられる。そのために挟み持ち端２１の両側はそれぞれ挟み片２４が形成され（図６及び図７に示す如く）、かつ両挟み片２４の内縁の両側面にはそれぞれ切り込み２５が設けられて鋭い切り口構造が形成される。また前記挟み持ち端２１の両側辺は端子溝１１に対応して三段階の縮小構造が設けられ、差し込み組み立て時に組み合わせられるようにし、かつ挟み持ち端２１の両側辺選定個所にはそれぞれ突起２６が設けられ（図２示す如く）、組み立て時は端子溝１１の側壁に掛け付け固定することに供される。
【０００９】
これにより（図２及び図９を参照ください）、両端子２をそれぞれプラグ本体１の底部から端子溝１１の中に差し込み、挟み持ち端２１中央の隙間２３で予めプラグ本体１の電線孔１６に差し込んである電線３０を挟み持ち、かつ二枚の挟み片２４の内側は電線３０の絶縁皮を破って導線と接触し、並びに二枚の挟み片２４は端子溝１１上端の嵌め付け段１４に差し込まれ、嵌め付け段１４の両側壁をもって二枚の挟み片２４の外側辺を支え持ち、かつ突起２６を端子溝１１底部の定位置段１２の両側壁に掛け付け、このようにして本実施例で行う携帯電話の電線接続プラグが構成される。
【００１０】
本実施例は携帯電話の電線接続プラグの構造設計、特にそのプラグ本体１の端子溝１１及び端子２の構造改善設計を運用し、端子２がそれぞれ前記プラグ本体１の端子溝１１に差し込まれ（図８示す如く）、電線を破り挟み持ちした場合、それは端子溝１１中間の逃げ段１３の幅によって二枚の挟み片２４に充分な外張りに必要なスペースを提供するので（図９示す如く）、端子２は容易に差し込み組み立てることができる。ところが二枚の挟み片２４の内側縁が電線３０の絶縁皮を破って収縮挟み付けまたは少々収縮挟み付けると、二枚の挟み片２４は丁度端子溝１１上端の嵌め付け段１４に差し込み、または更に端子２を押して上端の二枚の挟み片２４が斜め案内辺１５の案内を経て、緊密配合状に現れて端子溝１１上端の嵌め付け段１４に差し込み、これによってその嵌め付け段１４のやや狭い両側壁で挟み片２４の外側を支え持ち、その二枚の挟み片２４に弾性疲労が発生し、または衝撃によって電線３０が脱落することが防げられ、更に進んで安定した組み立て及び導接効果を達成することができる。それゆえに、本実施例の構造形状及び組み立て状態の技術は前記従来の接続プラグ１０よりも安定した電線３０導接、組み立て等の効果が得られる。
【００１１】
次に、本実施例の端子の２挟み持ち端２１の両側辺突起２６を端子溝１１底部の定位置段１２の両側壁に掛け刺す構造特徴を運用すれば、端子２とプラグ本体１の組合せを更に安定することができ、組み立てが完了した接続プラグと携帯電話のメイン・ボードのソケット２０が互いに接続されれば（図１０示す如く）、使用者が不注意して携帯電話を衝撃して脱落し、または不安定が起こることを避けることができる。
【００１２】
ところがここで説明するべきことは、本考案は接続プラグの構造に関する改善設計であり、それゆえにそれの使用範囲は携帯電話の振動モータ、スピーカまたはマイク等電子エレメントの電線端部に局限されなく、およそノートブック型コンピュータ、翻訳機またはＰＤＡ　等ポータブル電子用品または家電用品等は、すべて本考案の応用実施可能範囲であることを合わせて陳述いたします。
【００１３】
上記をまとめると、本考案が行う『携帯電話の電線接続プラグ』の設計は確かに実用性と創意性があり、その技術手段の運用も斬新なもので、かつそれの効果と設計目的は符合するので、それは合理的で進歩的であることは至って明らかである。
【００１４】
【考案の効果】
本考案の主な目的は携帯電話の電線接続プラグの設計を提供するもので、それは携帯電話内部の振動モータ、またはスピーカまたはマイク等電子エレメントの電線端に応用される接続プラグの構造に対する改善設計であり、その接続プラグはプラグ本体及び二つの端子から構成され、そのプラグ本体の扁平状端子溝の底段にはやや幅の広い定位置段が設けられ、中間には幅が次程度の逃げ段が設けられ、上段は幅の狭い嵌め付け段が形成されてある。端子の上段には挟み持ち端があり、下段には差込端の金属片があり、挟み持ち端の中央には上縁までに延伸する隙間が設けられ、かつ挟み持ち端の両側辺は端子溝に対応して三段階の縮小構造が設けられてある。これにより、両端子をそれぞれプラグ本体の端子溝に差し込んで電線を挟み持ちすれば、それは端子溝中間の逃げ段の幅によって二枚の挟み片に充分な外張りに必要なスペースを提供することができ、かつ二枚の挟み片が電線の絶縁皮を破って収縮した場合、端子を押して挟み片が緊密配合に現れるようにして端子溝上端の嵌め付け段に差し込み、それによってその嵌め付け段のやや狭い両側壁で挟み片の外側を支え、その挟み片に弾性疲労が発生し、または衝撃によって電線が脱落することが防げられ、更に進んで安定した組み立て及び導接効果を達成することができる。
【００１５】
本考案の次の目的は携帯電話の電線接続プラグの設計を提供するもので、その中、端子上段の挟み持ち端両側辺にはそれぞれ突起が設けられ、端子を端子溝に差し込み、突起を端子溝底部の定位置段の両側壁に掛け刺すことによって、端子の安定組み立て及び脱落防止の効果が達成される。
【図面の簡単な説明】
【図１】本考案の実施例による携帯電話の電線接続プラグの構造を示す斜視図である。
【図２】本考案の実施例による携帯電話の電線接続プラグの構造を示す断面図である。
【図３】本考案の実施例による携帯電話の電線接続プラグ本体を示す正面断面図である。
【図４】本考案の実施例による携帯電話の電線接続プラグ本体を示す側面断面図である。
【図５】本考案の実施例による携帯電話の電線接続プラグの端子を示す概略図である。
【図６】本考案の別の実施例による携帯電話の電線接続プラグの端子を示す正面断面図である。
【図７】本考案の別の実施例による携帯電話の電線接続プラグの端子を示す側面断面図である。
【図８】本考案の実施例による携帯電話の電線接続プラグの端子の差込動作を示す概略図である。
【図９】本考案の実施例による携帯電話の電線接続プラグの端子の差込動作を示す概略図である。
【図１０】本考案の実施例による携帯電話の電線接続プラグと接続ソケットとの組合せを示す概略図である。
【図１１】従来の携帯電話の電線接続プラグと接続ソケットとの組合せを示す概略図である。
【図１２】従来の携帯電話の電線接続プラグと接続ソケットとの組合せを示す概略図である。
【図１３】従来の携帯電話の電線接続プラグの端子の差込動作を示す概略図である。
【符号の説明】
１　　プラグ本体
１１　　端子溝
１２　　定位置段
１３　　逃げ段
１４　　嵌め付け段
１５　　斜め案内辺
１６　　電線孔
２　　端子
２１　　挟み持ち端
２２　　差込端
２３　　隙間
２４　　挟み片
２５　　切り込み
２６　　突起
２０　　接続台
３０　　電線
【図１】
0003098197.tif 000003
【図２】
0003098197.tif 000004
【図３】
0003098197.tif 000005
【図４】
0003098197.tif 000006
【図５】
0003098197.tif 000007
【図６】
0003098197.tif 000008
【図７】
0003098197.tif 000009
【図８】
0003098197.tif 000010
【図９】
0003098197.tif 000011
【図１０】
0003098197.tif 000012
【図１１】
0003098197.tif 000013
【図１２】
0003098197.tif 000014
【図１３】
0003098197.tif 000015